(57)【特許請求の範囲】
【請求項１】
一対の桟間に該一対の桟を伸縮する伸縮要素をなす上下両端部の伸縮リンクを配置することによって個別伸縮自在とした伸縮単位体を形成するとともに隣接する伸縮単位体を相互に連結した単動伸縮式のシャッター本体と，該シャッター本体における任意の伸縮単位体の上記上下両端部の伸縮リンク間中間位置に表出形成した店舗業務を示唆する業務示唆図形と，該シャッター本体を上吊り装着してその開閉案内を行なう上下に対向一対のガイドレールとを備えた横引きシースルーのシャッターであって，上記業務示唆図形を，一端を上記伸縮単位体の桟に回動自在に軸支し，他端を長手方向スライド自在に係合して傾斜配置することによって上記上下両端部の伸縮リンクの個別伸縮に従動して該伸縮単位体における一対の桟間の前後中間部内に収納折り畳みを行なう単一又は平行複数の装飾リンクバーと，該伸縮単位体又は他の伸縮単位体の桟の表面に固定してその隣接する桟の表面に部分的に重合するプレート状，ブロック状等の幅広の桟装飾部材とによって形成してなることを特徴とする単動伸縮式の店舗用デザインシャッター。
【請求項２】
上記業務示唆図形の装飾リンクバー及び桟装飾部材に着色又は模様を施してなることを特徴とする請求項１に記載の店舗用デザインシャッター。
【請求項３】
上記業務示唆図形の装飾リンクバーを，隣接する一対の伸縮単位体にそれぞれ傾斜配置し且つ上記桟装飾部材をその隣接する桟の表面に固定してなることを特徴とする請求項１又は２に記載の店舗用デザインシャッター。
【請求項４】
上記業務示唆図形の装飾リンクバーを，隣接する一対の伸縮単位体の非隣接側の外側に位置する桟に傾斜配置し且つ上記桟装飾部材を，該一対の伸縮単位体の隣接する桟の表面に固定してなることを特徴とする請求項１又は２に記載の単動伸縮式の店舗用デザインシャッター。
【請求項５】
上記業務示唆図形の装飾リンクバーを，隣接する４乃至５本の伸縮単位体の非隣接側の外側に位置する桟に傾斜配置し且つ上記装飾部材を，該４乃至５本の伸縮単位体の各隣接する桟又はその一部の桟の表面に固定してなることを特徴とする請求項１又は２に記載の単動伸縮式の店舗用デザインシャッター。
【請求項６】
上記シャッター本体における伸縮単位体の連結を相互に回動自在として該シャッター本体を開口交差方向に収納自在とするとともに上記対向一対のガイドレールを，開口交差方向に収納部を形成具備したＬ字状のガイドレールとしてなることを特徴とする請求項１，２又は３に記載の単動伸縮式の店舗用デザインシャッター。
【請求項７】
上記業務示唆図形の装飾リンクバーを，直線又はＳ字状の形状とし且つ桟装飾部材を板加工又は成形加工を施した適宜の形状としてなることを特徴とする請求項１，２，３，４，５又は６に記載の単動伸縮式の店舗用デザインシャッター。
【請求項８】
上記業務示唆図形を，業務を示唆する多種の業務示唆図形中から任意に選択して，シャッター本体の任意の伸縮単位体に表出形成した業務示唆図形としてなることを特徴とする請求項１，２，３，４，５，６又は７に記載の単動伸縮式の店舗用デザインシャッター。
【発明の詳細な説明】
【０００１】
【発明の属する技術分野】
本発明は建物の開口部に設置するシースルーのシャッターに関し，特に業務を示唆する業務示唆図形を表出形成するように使用する単動伸縮式の店舗用デザインシャッターに関する。
【０００２】
【従来の技術及び発明が解決しようとする課題】
この種シースルーのシャッターとして，例えば水平多数のパイプをその両端において相互に回動自在のリンクバーによって連結したシャッター本体を用い，両側のガイドレールの案内によって，シャッター本体上端に設置したシャッター軸に巻取り収納するようにした，いわゆるパイプシャッターが知られている。このパイプシャッターを典型とするシースルーシャッターは，例えば店舗の閉店後にも照明をつけたショーウインドが透視でき，ウインドショッピングを可能とするとともにシャッターとしての防犯性を確保することが可能であり，例えば軽量シャッターのように閉店後に商店街が暗くなって無人の街といった印象を与えることを解消できるため，商店街の活性化に好適のものとして使用されることも多い。しかしながらこの場合シャッター本体は，シャッター軸に巻取り収納する形態とされるために，シャッター本体を巻取り自在に屈曲させるようにする必要があるので，シャッター本体毎にデザインを変えたりして，変化を持たせることが構造的に困難であり，デザインが画一化する結果を招くという問題点を有する。
【０００３】
本発明はかかる事情に鑑みてなされたもので，その解決課題とするところは，上記シースルーのシャッターとしての長所を保持するとともに，シャッター本体の伸張（開成）に際して業務示唆図形を表出形成することによって，シャッターとしてデザインの多様化を図ることができるようにした単動伸縮式の店舗用デザインシャッターを提供するにある。
【０００４】
【課題を解決するための手段】
上記課題にそって請求項１に記載の発明は，シャッター本体を，一対の桟間にその伸縮要素として長手方向複数の伸縮リンクを配置して個別に伸縮するようにした個別伸縮の伸縮単位体を用いて，該伸縮単位体を開閉方向に多数連結することによって，任意の伸縮単位体からシャッター本体の伸縮（開閉）を可能としたり，伸縮規制手段によって，例えば収納部近傍においてシャッター本体を順次に伸縮する如くにコントロールしたりして，手動，電動を問わずにシャッター本体の伸縮に際して手を挟まれる可能性のない，個別の伸縮を行なう伸縮単位体集合体の単動伸縮式のシースルー構造によるものとする一方，該シャッター本体を構成する上記個別伸縮の伸縮単位体に装飾リンクバーを配置するとともに伸縮単位体の桟に桟装飾部材を配置し，シャッター本体の伸張時に該装飾リンクと桟装飾部とによって，店舗業務を示唆する業務示唆図形を表出形成し得るようにしたものであって，即ち請求項１に記載の発明を，一対の桟間に該一対の桟を伸縮する伸縮要素をなす上下両端部の伸縮リンクを配置することによって個別伸縮自在とした伸縮単位体を形成するとともに隣接する伸縮単位体を相互に連結した単動伸縮式のシャッター本体と，該シャッター本体における任意の伸縮単位体の上記上下両端部の伸縮リンク間中間位置に表出形成した店舗業務を示唆する業務示唆図形と，該シャッター本体を上吊り装着してその開閉案内を行なう上下に対向一対のガイドレールとを備えた横引きシースルーのシャッターであって，上記業務示唆図形を，一端を上記伸縮単位体の桟に回動自在に軸支し，他端を長手方向スライド自在に係合して傾斜配置することによって上記上下両端部の伸縮リンクの個別伸縮に従動して該伸縮単位体における一対の桟間の前後中間部内に収納折り畳みを行なう単一又は平行複数の装飾リンクバーと，該伸縮単位体又は他の伸縮単位体の桟の表面に固定してその隣接する桟の表面に部分的に重合するプレート状，ブロック状等の幅広の桟装飾部材とによって形成してなることを特徴とする単動伸縮式の店舗用デザインシャッターとしたものであり，請求項２に記載の発明は，デザインの自由度を向上し得るように，これを，上記業務示唆図形の装飾リンクバー及び桟装飾部材に着色又は模様を施してなることを特徴とする請求項１に記載の店舗用デザインシャッターとし，請求項３，４及び５に記載の発明は，それぞれ業務示唆図形を好ましい形態のものとするように，請求項３に記載の発明を，上記業務示唆図形の装飾リンクバーを，隣接する一対の伸縮単位体にそれぞれ傾斜配置し且つ上記桟装飾部材をその隣接する桟の表面に固定してなることを特徴とする請求項１又は２に記載の店舗用デザインシャッター，請求項４に記載の発明を，上記業務示唆図形の装飾リンクバーを，隣接する一対の伸縮単位体の非隣接側の外側に位置する桟に傾斜配置し且つ上記桟装飾部材を，該一対の伸縮単位体の隣接する桟の表面に固定してなることを特徴とする請求項１又は２に記載の単動伸縮式の店舗用デザインシャッター，請求項５に記載の発明を，上記業務示唆図形の装飾リンクバーを，隣接する４乃至５本の伸縮単位体の非隣接側の外側に位置する桟に傾斜配置し且つ上記装飾部材を，該４乃至５本の伸縮単位体の各隣接する桟又はその一部の桟の表面に固定してなることを特徴とする請求項１又は２に記載の単動伸縮式の店舗用デザインシャッターとし，請求項６に記載の発明は，シャッター本体を開口交差方向に可及的に小さい曲率半径で開口交差方向に収納して，開口を可及的にフルオープン化して，使い勝手を向上したものとし得るように，これを，上記シャッター本体における伸縮単位体の連結を相互に回動自在として該シャッター本体を開口交差方向に収納自在とするとともに上記対向一対のガイドレールを，開口交差方向に収納部を形成具備したＬ字状のガイドレールとしてなることを特徴とする請求項１，２又は３に記載の単動伸縮式の店舗用デザインシャッターとし，請求項７に記載の発明は，デザインの自由度を向上するとともに桟装飾部を桟の形状に捉われない形態のものとし得るように，これを，上記業務示唆図形の装飾リンクバーを，直線又はＳ字状の形状とし且つ桟装飾部材を板加工又は成形加工を施した適宜の形状としてなることを特徴とする請求項１，２，３，４，５又は６に記載の単動伸縮式の店舗用デザインシャッターとし，請求項８に記載の発明は，シャッター本体に表出形成する図形の装飾によって店舗の業種を示唆するようにするとともに隣接する店舗間においてそれぞれ異なる図形の装飾のシャッターを設置することによって，商店街の景観を向上し，その活性化を図り得るものとするように，これを，上記業務示唆図形を，業務を示唆する多種の業務示唆図形中から任意に選択して，シャッター本体の任意の伸縮単位体に表出形成した業務示唆図形としてなることを特徴とする請求項１，２，３，４，５，６又は７に記載の単動伸縮式の店舗用デザインシャッターとし，これらをそれぞれ発明の要旨として上記課題解決の手段としたものである。
【０００５】
【発明の実施の形態】
以下図面の例に従って本発明を更に具体的に説明すれば，Ａは，本例においてアルミ製の横引きシャッターとして構成した横引きシースルーにして単動伸縮式の店舗用デザインシャッター，１は該シャッターＡのシャッター本体，１２はガイドレールであり，上記シャッター本体１は，一対の桟３間に該一対の桟３を伸縮する伸縮要素をなす上下両端部の伸縮リンク５を配置することによって個別伸縮自在とした伸縮単位体２を形成するとともに隣接する伸縮単位体２を相互に連結した単動伸縮式のものとし，上記ガイドレール１２は，該シャッター本体１を上吊り装着してその開閉案内を行なう上下に対向一対のものとしてあり，このとき上記シャッター本体１は，その任意の伸縮単位体２の上記上下両端部の伸縮リンク５間中間位置に表出形成した店舗業務を示唆する業務示唆図形を備えたものとしてあり，このとき該業務示唆図形は，これを，一端を上記伸縮単位体２の桟３に回動自在に軸支し，他端を長手方向スライド自在に係合して傾斜配置することによって上記上下両端部の伸縮リンク１０の個別伸縮に従動して該伸縮単位体２における一対の桟３間の前後中間部内に収納折り畳みを行なう単一又は平行複数，本例にあっては単一の装飾リンクバー１０と，該伸縮単位体又は他の伸縮単位体２の桟３の表面に固定してその隣接する桟３の表面に部分的に重合するプレート状，ブロック状等の幅広の桟装飾部材１１とによって形成したものとしてある。
【０００６】
即ち本例にあって伸縮単位体２は，アルミ製，例えばアルミ押出材による一対の桟３，本例においては一対の縦桟を用い，該一対の桟３を，長手方向複数の上下両端部に一対介設配置した伸縮リンク５によって伸縮自在に連結することによって構成し，該伸縮リンク５は，伸縮単位体２をそれ自体単独に伸縮自在とするものを用いてこれを個別伸縮自在とするようにしてあり，本例の伸縮リンク５は，例えば直線又はＳ字状等適宜形状のアルミ製，例えばアルミ押出材，アルミ鋳物等のリンクバーをＸ字状に配置し，それぞれ双方の桟２に対して一端を回動自在に軸支し，他端を長手方向にスライド自在に係合し，必要に応じてそのＸ字状の交差位置で相互に回動自在に軸支するようにして，伸縮単位体２の個別伸縮を行なうとともにその一対の桟３を連結するようにしてあり，このとき本例の伸縮リンク５は，これを，伸縮単位体２におけるガイドレール１２近傍の長手方向両端部に配置し，これによってシャッター本体１の伸縮を可及的に安定且つ確実に行なうようにしてある。
【０００７】
本例にあってシャッター本体１は，上記隣接する伸縮単位体２を相互に連結して，上記伸縮単位体２を多数伸縮方向に連結した伸縮単位体集合のもの，即ち伸縮単位体２の集合体として，各伸縮単位体２が個別の伸縮を行なう単動伸縮式のものとして構成してあり，本例において該伸縮単位体２の連結は，これを相互に回動自在として該シャッター本体１を開口交差方向に収納自在とするように行なってあり，このとき回動自在の連結は，隣接する伸縮単位体２の桟３同士をヒンジ６を介して行なうとともに連結位置を各伸縮単位体２の室内外一方の端部，本例にあっては室内側端部において行なってある。
【０００８】
即ち本例において上記回動自在の連結は，隣接する伸縮単位体２の相互に対接する桟３における対接側の室内側コーナー部にヒンジ６を配置することによって行なってあり，本例のヒンジ６による連結は，桟２にその長手方向全長に設置した一方を軸，他方を軸受として，これらを嵌合することによって，１／６円程度以上１／４円程度以下の所定回動範囲を有するアルミ押出材の軸と軸受によるアルミ全面ヒンジを用い，任意のヒンジ６部分においてそれぞれ略直角の室内側に向けた折曲を行なってその収納をなし得るようにしてある。
【０００９】
本例にあってガイドレール１２は，同じくアルミ製，例えばアルミ押出材による，本例において上下に対向する一対にして開口交差方向に収納部１３を形成具備したＬ字状のものとし，上記シャッター本体１を，上下に対向する上枠のガイドレール１２に対して回転自在の上吊ローラー７を介して上吊りし，下枠のガイドレール１２に対して同じく振れ止めローラー，ピン，スラシ等，本例にあっては回転自在の振れ止めローラー８を介して振れ止め係合することによって，該シャッター本体１を上吊り装着してその開閉案内を行なうようにしてあり，このときガイドレール１２における開口面と収納部１３間のコーナー部分は，上記上吊りローラー７，振れ止めローラー８が回転しながらガイドレール１２によって案内されるのに必要且つ十分な曲率半径，例えば１５±３ｃｍ程度，本例にあっては１５ｃｍ程度の可及的に小さな曲率半径で１／４円湾曲したものとしてあり，これによってシャッター本体１は，これを伸縮単位体２を順次個別に縮小した状態，即ちシャッター本体１を縮小した状態で開口交差方向の収納部１３に収納するとともに収納部から伸縮単位体２を順次個別に伸張しながら，即ちシャッター本体１を順次伸張しながら引き出してその伸張を行なうものとすることができるとともにその収納と引き出しを省スペースのコーナー部分を介して行なうようにでき，また収納部１３にシャッター本体１を完全に収納することによってシャッター本体１の幅の収納部１３を残してその開口をフルオープンし得るようにしてある。
【００１０】
上記シャッター本体１の業務示唆図形を桟装飾部材１１とともに表出形成する一方の装飾リンクバー１０は，例えば伸縮リンク５のリンクバーと同様に直線，Ｓ字状等適宜形状のアルミ製，例えばアルミ押出材，アルミ鋳物等のリンクバーを単一又は複数用いて，単一のリンクバーにあっては該リンクバーの一端を伸縮単位体２の一方の桟３に対して回動自在に軸支し，他端を他方の桟３に対してその長手方向スライド自在に係合して伸縮単位体２に傾斜配置し，複数のリンクバーにあっては，例えば平行に並列して傾斜配置するように適宜に配置してあり，これによって上記伸縮リンク５の伸縮に応じて，これに従動するように，そのリンク動作，即ち折畳みを行うようにし，特に縮小時には伸縮単位体２の一対の桟３に重合してその前後中間部に収納されるようにしてある。
【００１１】
本例にあって業務示唆図形を表出形成する他方の桟装飾部材１１は，これを，桟３に後付け固定してあり，本例の桟装飾部材１１は，これを，伸縮単位体２の桟３の幅より幅広にしてシャッター本体１の縮小時に隣接する桟３の表面側にこれと部分的に重合可能のプレート状，ブロック状等幅広にして適宜の形状のものとしてある。
【００１２】
即ち本例にあって桟装飾部材１１は，例えば金属，木，合成樹脂等板材に，プレス加工等を施すことによって所定形状とした板材や一体の成形加工を施した鋳物，合成樹脂等の同じく所定形状の成形品，本例にあっては鋳物の成形品を用いて，必要に応じてこれに着色又は模様，例えば印刷，転写等による模様を付した単一又は複数のプレート状のものを用いて，これを任意の桟に固定配置するとともに隣接する伸縮単位体２の桟３と衝接することなくその表面側に重合配置し得るようにしてある。
【００１３】
シャッター本体１における本例の上記装飾リンクバー１０と桟装飾部材１１との業務示唆図形は，これを，シャッター本体１の伸縮リンク５間の面内位置に配置してあり，このとき本例の該図形は，更にこれを複数の伸縮単位体２毎に単一のものを表出形成することによってシャッター本体１の面内に多数配置したものとしてある。
【００１４】
このとき本例の業務示唆図形は，以上の構成によるシースルーシャッターＡの正面図の図１及び図９乃至図１２に例示するように，多種の店舗における各業務を示唆する多種の業務示唆図形中から任意に選択して，シャッター本体の任意の伸縮単位体に表出形成したものとし，例えば商店街において店舗毎にそれぞれ該店舗の業務に合わせてこれに最適な装飾を有するものを選択して設置し，シャッター本体１によって業務を示すようにするとともに店舗毎にシャッター本体１のデザインを多様に変化したものとし得るようにしてある。
【００１５】
図１は，上記業務示唆図形の装飾リンクバー１０を，隣接する一対の伸縮単位体２にそれぞれ傾斜配置し且つ上記桟装飾部材１１をその隣接する桟３の表面に固定した例を示し，例えばフラワーショップの店舗用に，伸縮リンク５を，Ｓ字状のリンクバーをＸ状に交差配置することによって円形が連続するようにする一方，業務示唆図形を花，例えばチューリップの図形として，該業務示唆図形を上下２段にそれぞれ一連に連続するようにした例であり，このとき隣接する一対の伸縮単位体２を基準としてこれにそれぞれ，例えば緑に着色した装飾リンクバー１０を波状をなすように傾斜配置し，一つ置きの伸縮単位体２における一方の桟３に，例えば緑に着色した茎と，例えば赤，白，黄等適宜に着色した花との２部材の桟装飾部材１１をネジ等の固定金具によって固定配置することによって隣接する一対の伸縮単位体２毎に単一のチューリップによる業務示唆図形を表出形成するようにした例である。
【００１６】
図９は，伸縮リンク５を同様とし，同じくフラワーショップの店舗用に，花，例えばチューリップによる業務示唆図形を上下２段の千鳥状に配置するようにした例であり，このとき所定の隣接する一対の伸縮単位体２を基準としてこれにＶ字状をなすように装飾リンクバー１０を傾斜配置し，その間の伸縮単位体２一方の桟３に茎と花との一対の桟装飾部材１１を固定配置することによって同じく所定の隣接する一対の伸縮単位体２毎に単一のチューリップによる業務示唆図形を表出形成するようにした例である。
【００１７】
図１０は，上記業務示唆図形の装飾リンクバー１０を，隣接する一対の伸縮単位体２の非隣接側の外側に位置する桟３に傾斜配置し且つ上記桟装飾部材１１を，該一対の伸縮単位体２の隣接する桟３の表面に固定した例を示し，例えば伸縮リンク５を上記と同様にＸ形状乃至菱形のものとし，和菓子店の店舗用に和菓子，例えば串さし団子の図形を上下２段に配置するようにしてあり，このとき所定の隣接する４本の伸縮単位体２を基準としてこれにそれぞれ茶色等に着色した装飾リンク１０を直線をなすように傾斜配置し，その間の伸縮単位体２一方の桟３に茶乃至あずき色に着色した各団子の桟装飾材１１を固定配置することによって同じく所定の隣接する多数の伸縮単位体２毎に単一の和菓子の図形を表出形成するようにした例である。
【００１８】
図１１は，上記業務示唆図形の装飾リンクバー１０を，隣接する４乃至５本の伸縮単位体２の非隣接側の外側に位置する桟３に傾斜配置し且つ上記装飾部材１１を，該４乃至５本の伸縮単位体２の各隣接する桟３又はその一部の桟３の表面に固定した例を示し，例えば，伸縮リンク５を上記図１と同様に円形が連続するように配置し，衣料品店の店舗用に衣料品，例えばシャツ，特にＴシャツの図形を左右に並列するようにしてあり，このとき４本の伸縮単位体２を基準としてこれに図形上方部分において直線とＳ字状にして白色に着色した装飾リンクバー１０を傾斜配置して首部分をなすとともに下方にＳ字状の同じく白色に着色した装飾リンクバー１０を交差して傾斜配置してベルトをなすようにし，外側一対の伸縮単位体２の一方の桟３にグリーン，黒，赤等に着色した袖口及び胴部をなす各桟装飾部材１１を固定配置するとともに中央に位置する伸縮単位体２の一方の桟３に同様に着色したボタンをなす桟装飾部材１１を固定配置することによって同じく所定の隣接する多数の伸縮単位体２毎に単一のシャツによる業務示唆図形を表出形成するようにした例である。
【００１９】
このとき本例の上記シャツの図形間にはＳ字状の装飾リンクバー１０を交差して傾斜配置して湾曲Ｓ字状の装飾を施してあるが，これは上記シャツの図形の装飾リンクバー１０を配置した伸縮単位体２に比して，これら図形間に位置する伸縮単位体２が強度的に弱くなるのを防止し，その補強を兼ね得るように配置したものである。
【００２０】
図１２は，伸縮リンク５を上記と同様にＸ形状乃至菱形をなすようにし，バーバーショップの店舗用に，散髪具，例えば散髪用はさみによる業務示唆図形を上下２段に配置した例であり，このとき隣接する一対の伸縮単位体２を基準としてこれにシルバーに着色した装飾リンクバー１０を直線をなすように傾斜配置し，一方の伸縮単位体１０の先端に位置する桟３に黒，茶等に着色したはさみの手掛けをなす円形の桟装飾部材１１を固定配置するとともに伸縮単位体２の上記直線の装飾リンクバー１０間に位置する一方の桟３に同様に着色したはさみの刃と手掛けの桟装飾部材１１を固定配置することによって，同じく所定の隣接する一対の伸縮単位体２毎に単一の散髪具による業務示唆図形を表出形成するようにした例である。
【００２１】
これらの例において上記業務示唆図形はそれぞれ基準とする伸縮単位体２の数を定めてその表出形成を行なっているが，開口方向端部に位置する業務示唆図形は，全体のバランスを崩さないようにそれぞれ上記各図形の一部を表出形成するようにしてある。
【００２２】
図中４は上記ヒンジ６で連結した伸縮単位体２の一方の桟３に配置して，シャッター本体１の伸張時にヒンジ６側に引かれて桟３間正面側に隙間が生じるのを塞ぐようにした隙間カバー，９は伸縮単位体２の先端にその桟３と連結して設置した戸当り枠である。
【００２３】
図示した例は以上のとおりとしたが，例えば鮮魚店の店舗用に，伸縮リンク５を直線のリンクバーをＸ状に交差配置することによってＸ形状乃至菱形が連続するようにする一方，業務示唆図形を魚の図形によるものとし，このとき隣接する５本の伸縮単位体２を基準としてこれにそれぞれ青等に着色した装飾リンクバーを魚の外形形状をなすように傾斜配置し，魚形状の前方に位置する中間の桟に黒に着色した目の桟装飾部材と，魚形状の後方に位置する桟３に青に着色した尾の２部材の桟装飾部材をそれぞれ固定配置することによって，所定の隣接する多数の伸縮単位体２毎に単一の魚による業務表示図形を表出形成するようにすること，このときシャッター本体１にあって，その伸縮単位体２における長手方向複数の，例えば上下一方の伸縮リンクの配置を省略し，該伸縮単位体における業務示唆図形を表出形成する装飾リンクバーによってこれを代用したものとすること，ガイドレールを直線のものとして開口においてその一端にシャッター本体の収納部を備えたものとすること，伸縮リンクを，例えば伸縮単位体の上下両端部と中央位置の３箇所に配置したものとすること，業務示唆図形を隣接する多数の伸縮単位体に跨がる大きく単一の図形として構成すること，業務示唆図形を異なる複数の図形を表出形成したものとして構成すること等を含めて，本発明の実施に当たって，伸縮単位体，伸縮単位，これらによるシャッター本体，ガイドレール，装飾リンクバー，桟装飾部材，これらによる業務示唆図形等の具体的形状，材質，構造，色彩，寸法，これらの関係，これらに対する付加等は，上記発明の要旨に反しない限り様々な形態のものとすることができる。
【００２４】
【発明の効果】
本発明は以上のとおりに構成したから，請求項１に記載の発明は，シャッター本体を，一対の桟間にその伸縮要素として長手方向複数の伸縮リンクを配置して個別に伸縮するようにした個別伸縮の伸縮単位体を用いて，該伸縮単位体を開閉方向に多数連結することによって，任意の伸縮単位体からシャッター本体の伸縮（開閉）を可能としたり，伸縮規制手段によって，例えば収納部近傍においてシャッター本体を順次に伸縮する如くにコントロールしたりして，手動，電動を問わずにシャッター本体の伸縮に際して手を挟まれる可能性のない，個別の伸縮を行なう伸縮単位体集合体の単動伸縮式のシースルー構造によるものとする一方，該シャッター本体を構成する上記個別伸縮の伸縮単位体に装飾リンクバーを配置するとともに伸縮単位体の桟に桟装飾部材を配置し，シャッター本体の伸張時に該装飾リンクと桟装飾部とによって，店舗業務を示唆する業務示唆図形の模様を表出形成し得るようにした単動伸縮式の店舗用デザインシャッターを提供することができる。
【００２５】
請求項２に記載の発明は，デザインの自由度を向上し得るように，これを，上記業務示唆図形の装飾リンクバー及び桟装飾部材に着色又は模様を施してなることを特徴とする請求項１に記載の店舗用デザインシャッターとすることができる。
【００２６】
請求項３，４及び５に記載の発明は，それぞれ業務示唆図形を好ましい形態のものとすることができる。
【００２７】
請求項６に記載の発明は，シャッター本体を開口交差方向に可及的に小さい曲率半径で開口交差方向に収納して，開口を可及的にフルオープン化して，使い勝手を向上したものとすることができる。
【００２８】
請求項７に記載の発明は，デザインの自由度を向上するとともに桟装飾部を桟の形状に捉われない形態のものとすることができる。
【００２９】
請求項８に記載の発明は，シャッター本体に表出形成する図形の装飾によって店舗の業種を示唆するようにするとともに隣接する店舗間においてそれぞれ異なる図形の装飾のシャッターを設置することによって，商店街の景観を向上し，その活性化を図り得るものとすることができる。
【図面の簡単な説明】
【図１】  デザインシャッターの正面図である。
【図２】  図１のシャッター本体の装飾部分を拡大した一部拡大正面図である。
【図３】  図１の縮小したシャッター本体の装飾部分を拡大した一部拡大正面図である。
【図４】  図１のシャッター本体の一部拡大横断面図である。
【図５】  図１のシャッター本体の縮小状態を示す一部拡大横断面図である。
【図６】  図１の伸縮単位体の桟の連結状態を示す横断面図である。
【図７】  図１のシャッター本体の縮小して収納する状態を示す横断面図である。
【図８】  図１のシャッター本体の伸張しながら引出しする状態を示す横断面図である。
【図９】  他の例のデザインシャッターの正面図である。
【図１０】  他の例のデザインシャッターの正面図である。
【図１１】  他の例のデザインシャッターの正面図である。
【図１２】  他の例のデザインシャッターの正面図である。
【符号の説明】
Ａ  デザインシャッター
１  シャッター本体
２  伸縮単位体
３  桟
５  伸縮リンク
１０  装飾リンクバー
１１  桟装飾部材
１２  ガイドレール
【図１】
0004355421.tif 000002
【図２】
0004355421.tif 000003
【図３】
0004355421.tif 000004
【図４】
0004355421.tif 000005
【図５】
0004355421.tif 000006
【図６】
0004355421.tif 000007
【図７】
0004355421.tif 000008
【図８】
0004355421.tif 000009
【図９】
0004355421.tif 000010
【図１０】
0004355421.tif 000011
【図１１】
0004355421.tif 000012
【図１２】
0004355421.tif 000013